(57)【要約】【課題】  前方照射用の光源以外に別の光源を用いることなく、前方への配光と、前方以外の方向への光照射とを得ることができる照明装置を提供する。【解決手段】  照明装置の一方の端部である前部に位置する発光ダイオード８と、発光ダイオードよりも後方の側部に位置し、側部から光を透過させる側方透過部３と、発光ダイオードの後方に位置し、発光ダイオードから出る光の方向を変えて、側方透過部に向けてその光を出射させる光路変更部１５，１５ａとを備える。【選択図】        図３
2005056708.tif 000002
【特許請求の範囲】
【請求項１】
照明装置であって、
前記照明装置の一方の端部である前部に位置する発光ダイオードと、
前記発光ダイオードよりも後方の側部に位置し、側部から光を透過させる側方透過部と、
前記発光ダイオードの後方に位置し、前記発光ダイオードから出る光の方向を変えて、前記側方透過部に向けてその光を出射させる光路変更部とを備える照明装置。
【請求項２】
前記光路変更部が空気より屈折率の高い材料で形成された光ガイドであり、前記発光ダイオードから出た光を、その発光ダイオード側の端部で光ガイド中に入射させ、全反射させて光の進行方向を変えて、その光ガイドの出射面から前記側方透過部に向けて出射する、請求項１に記載の照明装置。
【請求項３】
前記発光ダイオードが挿入される挿入孔を有し、前記発光ダイオードが挿入され配線された状態で、前記発光ダイオードの発光部を後方から囲む凹曲面の反射鏡を備える、請求項１または２に記載の照明装置。
【請求項４】
前記発光ダイオードのリード端子は後方から引き出され、前記光ガイド内を通り、その光ガイドの後方に位置する配線基板に接続されている、請求項１〜３のいずれかに記載の照明装置。
【請求項５】
前記筐体の前記側周透過部より中央側の側部に、その筐体と交差するように突き出る挿入軸と、その挿入軸に固定され、周縁に凹凸溝を有しその挿入軸に交差する回転板である回転係合部材と、前記挿入軸に挿入され、前記回転係合部材の周縁の凹凸溝と係合する凹凸溝を内周に備え、前記回転係合部材の凹凸と係合しながら前記回転係合部材の周りに回転できる支持部材とを備える、請求項１〜４のいずれかに記載の照明装置。
【請求項６】
前記筐体の側周部に前記照明装置を支持する支持部材を備え、その支持部材は照明装置を取付対象部にバンドで固定する固定バンド材を備え、その固定バンド材は、この照明装置を前記取付対象部に固定するためのバンドが引き掛けられ重ねられる、第１のバンド引掛部と第２のバンド引掛部とを有し、前記第１および第２のバンド引掛部との間の前記バンドの部分は、前記取付対象部を巻き込むようにして前記照明装置をその取付対象部に固定し、
前記第１のバンド引掛部には、前記筐体との間に第１の隙間をあけて第１の軸が設けられ、その第１の軸に回転自由に設けられ、そのバンドの一方の端部に設けられたのこぎり歯状溝に食い込む楔状ストッパを備え、前記バンドの一方の端部が前記第１の隙間を通って前記のこぎり歯状溝が前記第１の軸に面して前記第１の軸を巻き込むように配置され、
前記第２のバンド引掛部には前記筐体との間に第２の隙間をあけて第２の軸が設けられ、前記第２の軸に回転自由に設けられ、レバー部とバンド押付部とを備えるレバーストッパを備え、前記バンド押付部では、前記第２の軸からの距離が極大値をとる周縁部を有し、前記第２の隙間に差しこまれた前記バンドの他方の端部は、前記レバー部を倒すことにより前記極大値をとる周縁部と筐体との間に挟んで固定する、請求項１〜５のいずれかに記載の照明装置。
【請求項７】
前記透明放射窓と反対側の端部の筐体の側周部に位置するスイッチ操作部を備え、前記スイッチ操作部は一方の周方向に弾性力を加えられた状態で静止し、その弾性力に抗して前記スイッチ操作部を前記一方の周方向と逆の周方向にスライドさせると、そのスイッチ操作部と連結されたマグネットが前記筐体内部のスイッチ部で移動して、前記スイッチ部に設けられ、変形自由な軟磁性片に近づき、前記軟磁性片に近接して配置された固定軟磁部と前記軟磁性片とが閉磁気回路を構成するように接触させ、開閉接点部をオン状態にする、請求項１〜６のいずれかに記載の照明装置。
【発明の詳細な説明】
【技術分野】
【０００１】
本発明は、照明装置に関し、より具体的には発光ダイオード（ＬＥＤ:Light Emitting Diode）を用いた照明装置に関するものである。
【背景技術】
【０００２】
自転車に取り付けられる照明器具は、対向車に過度の眩しさを与えず、前方への良好な視界を確保するため、従来の照明器具は、次の方式により構成されていた。
（ａ）放物面の焦点付近に配置されたフィラメントから発せられた光は四方に広がり、直接前方に出射される光以外は、放物面で反射されて前方への平行光線を形成する。この平行光線を、直接前方に出射される光と合わせて前方レンズにより所望の配光パターンにする（例えば特許文献１、２参照）。
（ｂ）フィラメントから発せられた光は、マルチサーフェスミラーにより所望の配光パターンにされて前方に投射される。前方レンズは単にカバーの役割をする。このマルチサーフェスミラーは、各部分がフィラメントから入射された光を所定の方向に反射し、各部分の集合によって所望の配光パターンが得られるように、各部分の大きさおよび角度配置が決められている（特許文献１、２参照）。
【０００３】
これらの照明器具を用いることにより、所望の配光パターンを効率よく得ることができていた。
【特許文献１】特開２００２−５０２１２号公報
【特許文献２】特開２００２−５０２１３号公報
【発明の開示】
【発明が解決しようとする課題】
【０００４】
しかしながら、自転車用に用いた場合でも、また自転車に限らず一般の照明装置として携行して歩行する場合でも、前方への放射だけでなく、たとえば側周部から光を透過させることにより、暗い中で横方向すなわち側方から近づいてくる車、とくに自動車から視認されやすい。このため、照明装置携行者の安全を確保することができる。
【０００５】
従来、前方以外の部分から光を取り出す場合、前方への光源とは別の、たとえば側周部用の光源を別に用いることが多かった。しかし、小型化、軽量化、省エネルギー、製造コスト低減の点から別光源を用いることは好ましくない。
【課題を解決するための手段】
【０００６】
本発明は、自転車用途に限らず、前方照射用の光源以外に別の光源を用いることなく、前方への配光と、前方以外の方向への照明とを得ることができる照明装置を提供することを目的とする。
【０００７】
本発明の照明装置では、照明装置の一方の端部である前部に位置する発光ダイオードと、発光ダイオードよりも後方の側部に位置し、側部から光を透過させる側方透過部と、発光ダイオードの後方に位置し、発光ダイオードから出る光の方向を変えて、側方透過部に向けてその光を出射させる光路変更部とを備える。
【０００８】
この構成により、前方照射用の発光ダイオードのみを用い、側方用の別光源を用いることなく前方への照射と側方への照射とを、簡単な構造によりともに行なうことができる。
【発明の効果】
【０００９】
本発明の照明装置を用いることにより、自転車用途に限らず、前方照射用の光源以外に別の光源を用いることなく、前方への照射と、照明部側部周辺の照明とを得ることができる。この結果、小型化、軽量化、省エネルギー、低コスト化を実現することができる。
【発明を実施するための最良の形態】
【００１０】
次に図面を用いて本発明の実施の形態について説明する。図１は本発明の実施の形態の照明装置を示す図である。図１において、この照明装置は、光を前方に投射する前方投射窓１と、その側部を覆う前部側方カバー２２と、その後方に位置して照明装置の部品を収納する筐体２１とを備える。前部側方カバー２２と、筐体２１との間には側周部から光を透過させる側方透過部３が配置されている。図示していない光源には発光ダイオードを用いており、その電源には筐体２１内に収容される電池が用いられる。
【００１１】
筐体２１の側部には平坦部２１ａが設けられ、この平坦部２１ａに照明装置を支持する支持部材３１が取り付けられる。この筐体の平坦部を底部２１ａという場合がある。支持部材３１には、さらに、照明装置を取付対象部などに固定する固定バンド４１が装着されている。取付対象部としては、自転車やオートバイのハンドル、家屋内外の棒状物体などを挙げることができる。
【００１２】
また、照明装置の最後尾に周方向に移動させて光源回路の開閉端子のオンオフを行なうスイッチ操作部５１ａが配置されている。
【００１３】
図２は、図１に示す照明装置の部品を示す図である。図２（ａ）は、前後端が開いた円筒状の前部側方カバー２２を示し、不透明とされている。金属光沢のめっき処理を施した各種のプラスチック材料や、またアルミニウムなど各種金属で形成されている。図２（ｂ）は、後端が開放され、前方は集光レンズ１ａなどが配置された透明な円筒容器状の光出射部材２を示す図である。この円筒容器状の光出射部材２の側周部に側周透過部３が配置されている。さらに後方の部分は筐体に嵌め込まれる筐体挿入部４である。
【００１４】
図２（ｃ）は、光源であるＬＥＤが配置される光源配置部材１３を示す図である。この光源配置部材１３は、図２（ｂ）の光出射部材２の後端の開放端から、その中に装入される。ＬＥＤは光源配置部材のＬＥＤ挿入孔６に装着される。ＬＥＤには、このあと説明するように微小な発光部があり、その発光部がこのＬＥＤ挿入孔６より前方に位置するように構成されている。本実施の形態では、ＬＥＤは３個用いられており、３つのＬＥＤ挿入孔６が設けられている。ＬＥＤ挿入孔６は、ＬＥＤの発光部を後方から囲むように配置された回転放物面鏡５の軸線（回転軸）に沿うように開けられている。回転放物面鏡５には反射率を向上させるために、高反射率の金属光沢のめっき処理が施されている。
【００１５】
ＬＥＤ挿入孔６の後方にはＬＥＤごとに円柱状のＬＥＤ支持部７が配置されている。ＬＥＤ支持部７の後には、光出射部材２の内側において、側方透過部３と重なる位置にくる側方透過部内層１５が配置される。この側方透過部内層１５の後の端面には、ＬＥＤからのリード端子が接続される円形の配線基板１２が、その周囲が側方透過部内層の端面の縁に囲まれるように嵌め込まれている。配線基板１２の後から接続ピン１６が後方に突き出ている。
【００１６】
図２（ｄ）は、接続ピン１６を通す貫通孔（図示せず）が設けられた接続部材１９を示す図である。接続部材１９は、光源配置部材１３の後に接するように配置され、機械的な接続を分担する筐体挿入部４の内側に位置して、電気的な接続を容易にする。
【００１７】
図２（ｅ）はＬＥＤを示す図である。ＬＥＤ８は、発光部１１を透明樹脂が封止しており、封止樹脂の後端面からリード端子９が出ている。このリード端子９はＬＥＤの発光部１１に電流を注入するための端子である。このＬＥＤ８は、砲弾型ＬＥＤと呼ばれるタイプであり、前方側に透明樹脂の凸曲面１４が形成され、後方にフラット面１８が配置されている。発光部１１の周囲には光を遮る物がない。ＬＥＤ８は、上述のように、ＬＥＤ挿入孔６に挿入される。リード端子９は、ＬＥＤ支持部７および側方透過部内層１５を通って、配線基板１２に接続される。
【００１８】
図３は、光源配置部材をより詳細に説明する図である。回転放物面鏡５は、ＬＥＤごとに配置され、隣りのＬＥＤの回転放物面鏡とは境界線５ａで隔てられている。ＬＥＤ支持部７もＬＥＤごとに設けられている。ＬＥＤ支持部７は空洞を囲む円筒状に形成されており、その円筒の根元は側方透過部内層１５に連続している。側方透過部内層１５の後端面には円錐状窪み１５ａが設けられている。
【００１９】
図４は、側方透過部内層１５の後端部を示す図である。外側の側方透過部３に対応する位置に円錐状の窪み１５ａが設けられている。ＬＥＤから出た光の一部はＬＥＤ支持部７の空洞を通り、空気よりも屈折率が高い側方透過部内層の光媒体材料中に入射される。側方透過部内層の後端において、円錐状窪み１５ａの表面（側方透過部内層／空気の界面）で全反射して側方透過部内層１５の外周面１５ｂに向かう。円錐状窪み１５ａを備えた側方透過部内層１５が、光路変更部を構成する。すなわち、側方透過部内層１５を光ガイドとみることができる。
【００２０】
図５は、ＬＥＤ支持部７から側方透過部内層１５を通って後方に進んできた光が、円錐状窪み１５ａにおいて空気との界面で全反射して、向きを側方に変えてその外周面１５ｂから出射される様子を示す図である。円錐状窪みの円錐の角度は、上記の全反射により進行方向が９０°変わるように、４５°程度の傾斜を有するようにする。また、側方透過部内層１５を形成する光媒体の屈折率は、４５°の入射角度で全反射を生じる程度大きくなければならない。したがって、側方透過部内層１５を形成する光媒体の屈折率は、１．４１４以上は必要である。
【００２１】
上述したように、上記の側方透過部内層１５および円錐状窪み１５ａは、光ガイドを形成し、光の光路変更部の役割を果たす。ＬＥＤ支持部も光ガイドの一部に含まれるという見方も可能である。
【００２２】
図６は、図１におけるＶＩ−ＶＩ線に沿う断面図を示す。図２（ａ）〜（ｅ）に示した光部材が、図６の左側（照明装置の前方側）に組み込まれている。前方投射窓１と、側方透過部３と、筐体挿入部４とは、一体成形加工により形成された透明プラスチック部材である光出射部材２の中に形成されている。光出射部材２の外周を覆う前部側方カバー２２が配置されている。
【００２３】
光出射部材２の中に光源配置部材１３が収納されている。光源配置部材のＬＥＤ挿入孔６にはＬＥＤ８が挿入され、発光部１１に電流を注入するためのリード端子９がＬＥＤのフラットな後端面１８から引き出され、ＬＥＤ支持部７および側方透過部内層１５を通り、配線基板１２の接続部（図示せず）に接続されている。ＬＥＤ８の発光部１１をＬＥＤの後方側周囲から囲むように、回転放物面鏡５が配置される。
【００２４】
ＬＥＤ８は前方部が前方凸曲面部１４で構成され、前方投射窓のＬＥＤに対向する位置に集光レンズ１ａが設けられる。発光部１１は回転放物面鏡５の焦点に位置するので、発光部１１から側方に出射された光は回転放物面鏡にいたり、前方に平行光線を反射する。ＬＥＤの後端部はフラットな面１８とされている。ＬＥＤの後方には円筒状のＬＥＤ支持部７が配置され、さらに後方に側方透過部内層１５が配置される。側方透過部内層１５の外周には、側方透過部３が位置する。
【００２５】
筐体２１の内部には、たとえば電池収納部５３が設けられる。電池は、ＬＥＤの電流源や、あとで説明するスイッチ回路のＩＣの電源などとして機能する。配線基板１２には、３個のＬＥＤからの各２本のリード端子が接続され、配線基板はこれらＬＥＤが並列接続されるように接続する。配線基板１２の後面には並列接続されたＬＥＤに、電池からの電流を供給する２本のピン１６が設けられている。
【００２６】
筐体２１の底部２１ａには、支持部材に挿入する挿入軸２４が下方に突き出るように設けられる。この挿入軸２４の、内側には雌ねじ２６が設けられている。挿入軸２４の外周には円板状の係合部材２５が固定される。すなわち、上記挿入軸２４が挿入される支持部材の内周面の凹凸溝と浅く係合する凹凸溝を有する係合部材２５が固定される。係合部材２５の作用についてはこのあと説明する。
【００２７】
筐体の後端部には、発光部のオンオフを行なわせるスイッチ操作部５１ａが配置される。このスイッチ操作部５１ａは、筐体の周方向に移動する。このスイッチ操作部５１ａには周に沿う一方の方向に弾性的な付勢力が加えられており、この弾性的な付勢力に抗して、スイッチ操作部を周に沿う逆方向に移動させた所定位置でスイッチはオン状態となる。力を加えずにスイッチ操作部が弾性力により元の位置に戻った位置で、スイッチはオフ状態となる。このスイッチのオン、オフ状態とＬＥＤの発光のオン、オフ状態との関係についてはあとで説明する。
【００２８】
図７は、光源の周辺部の拡大断面図である。ＬＥＤ８は前方凸曲面部１４を有し、発光部１１から前方に出射された光は、前方凸曲面部を経て、前方投射窓１に設けられた集光レンズ部１ａにより光束の拡大を抑制されて前方に投射される。発光部から出射され、封止樹脂の表面で全反射をして後方に向かう光は、フラットな後端面１８から出射され、ＬＥＤ支持部７の中の空気中を通り、側方透過部内層１５に入射する。そして、その中を伝播し、円錐状窪み１５ａにいたりその表面で全反射して側方透過部内層１５の側方へと進路を変更する。側方透過部３のすぐ内側に位置する部分で全反射した光は、その側方透過部３を通り、照明装置の外に放出される。
【００２９】
筐体挿入部４の内側に配置される接続部材１９には、配線基板の後面に設けられたピン１６に接続するリード線を通す孔が設けられている。
【００３０】
図７に示す前方部６１は、図８に示すように電池５２の交換を行なうために、筐体２１と着脱を行なうことができる。
【００３１】
図９は、支持部材３１に筐体２１の底部２１ａから突き出る挿入軸２４を挿入し、ボルト３３で固定した状態を示す図である。ボルト３３は挿入軸に螺合されるが、ボルトの鍔部が回転軸支持部材４３の抜け落ちを防止する作用を有する。回転軸支持部４３また支持部３１は、挿入部材２４およびボルト３３の周りに回動することができる。
【００３２】
図１０は図９のＸ方向に見た断面図である。筐体底部から突き出る挿入軸２４には軸芯を合わせて係合部材２５が固定されており、図１０に示すように、この係合部材は円環の一部が欠けて３つの部分円環部からなり、それぞれの部分円環部に挿入軸２４から放射状に支持部が延びて連結されている。部分円環部の外側の両端部には、凹凸溝が厚み方向に沿って形成されている。この凹凸溝は支持部材３１の回転軸支持部４３の挿入凹部に設けられた内周面の凹凸溝と係合するが、この係合は強いものではなく、指先で回転することができ、係合部材２５の凸状部分を内周面の隣接する凹部溝にずらすことができる。すなわち、支持部３１を回転軸３３の周りに断続的な抵抗を受けながら回転することができる。すなわち、この回転は係合とその離脱とを小さい角度ピッチで繰り返しながら実現される。内周面の凹凸の刻みを小さくすることにより、支持部材に支持されている照明装置とその支持部材とがなす角度を任意に変え、上記の係合によりその状態を維持することができる。
【００３３】
図９に戻って、固定バンド部４１について説明する。固定バンド部４１は、バンド４４や、取付対象適合部材４６や、バンド締結部材４５により取付対象部に巻き付き、照明装置を固定する。まず、バンド４４が配置される部位について説明する。くさびの回転軸４９が設けられている箇所では、上部に開口が設けられ筐体の底部がその開口に露出している。このくさびの回転軸４９と上記開口に露出している筐体との間の隙間に、バンド４４を通して、往復に重なった部分をバンド締結部材４５で締結する。この往復部分は、取付対象に巻きつけるバンド長さを調節する。バンドの他方の端部は、レバーストッパ４２が回動自由に取り付けられる回転軸４７と、筐体との間の隙間を通される。レバーストッパ４２は回転軸４７から外周面までの距離が極大値をもつバンド押付部４２ａがある。レバーを操作して、前記極大値の部分が筐体に面する位置にしたとき、筐体とレバストッパとの隙間は最小となる。隙間が最小のときにバンドを筐体とバンド押付部４２ａとで挟み付けることにより、バンドを固定することができる。そして、レバーストッパは、上記挟み付ける位置で安定に維持される形状にしておく。
【００３４】
最後にスイッチについて説明する。図１１は、スイッチが組み込まれているこの照明装置の電気系統を示す配線図である。この配線図において、ＬＥＤ８を含む部分６１は、図８の前方部分に対応し、電池５２などの電気部品を含む部分６２は、図６の筐体とそれに収納される部分６２に対応する。図８における前方部６１を筐体部分６２に挿入し、電気接続を行なうと、図１１における６１の部分と６２の部分とは電気的に接続された状態となる。スイッチ操作部５１ａの操作により、リードスイッチ５１ｂが開閉される。
【００３５】
スイッチ操作部５１ａには、起磁力となる永久磁石が連動して動くように取り付けてあり、回路のリードスイッチ５１ｂには弾性体の軟磁性片がオフ状態になるように固定軟磁性体との間に隙間をあけて配置してある。スイッチ操作部５１ａを移動させて永久磁石を移動させると、軟磁性片は磁化して固定軟磁性片との間のギャップを解消し、閉磁気回路を形成する。すなわち、軟磁性片が相手の固定軟磁性片と磁気力により接し、リードスイッチ５１ｂはオンとされる。
【００３６】
図１１においてＩＣ回路６５には、ＬＥＤの点灯パターンとスイッチ動作との間に所定の対応関係をつけておくことができる。たとえば、スイッチオフの初期状態では、ＬＥＤに電流を供給しないで「消燈」状態にする。次にスイッチ５１を移動させて、接点をオンにした後、戻ってオフにした状態のときＬＥＤに電流を供給して「点灯」状態にすることができる。さらに、そのあと、スイッチを移動して接点をオンにして戻ったとき、ＬＥＤに一定の周期で電流を供給して「点滅」状態にすることができる。
【００３７】
上記の照明装置を用いることにより前方に指向性のよい光を放出できるだけでなく、側部からも光を透過させることができる。この側部からの透過により、暗い中で、横方向すなわち側方から近づいてくる車、とくに自動車から視認されやすい。これらの効果は安全上、大変好ましい。
【００３８】
次に、本発明の実施の形態を、上記に説明した形態も含めて羅列的に説明する。
【００３９】
上記の光路変更部が空気より屈折率の高い材料で形成された光ガイドであり、発光ダイオードから出た光を、その発光ダイオード側の端部で光ガイド中に入射させ、全反射させて光の進行方向を変えて、その光ガイドの出射面から側方透過部に向けて出射する構成を用いてもよい。なお、上記実施の形態では、側方透過部では側部の全周にわたって透過部を設けたが、連続して全周に透過部を設ける必要はなく、所定の角度ピッチで全周にわたって透過部を配置してもよい。
【００４０】
この構成により、発光ダイオードからたとえば後方に出射された光を有効利用して、側周部から側方に出射させることができる。上記の光ガイドの出射面に向かう光は、当然、大部分が全反射の臨界角度よりも小さい入射角度で出射面に当たるように各部の形状を形成し、配置する。
【００４１】
上記の光路変更部が反射部材であり、発光ダイオードから出た光を反射して側周透過部に向けて出射する構成をとってもよい。
【００４２】
上記のように反射部材を用いることによっても、発光ダイオードの後方に出てきた光の進行方向を側部に向かうように変えて、側周部から光を出射させることができる。
【００４３】
上記の発光ダイオードは発光部を空気より屈折率の高い透明材料が砲弾形状に封止し、その透明放射窓側の前方部は凸曲面をなし、後方端はフラットであり、その後方端を光路変更部に露出する構成にしてもよい。
【００４４】
この構成により、光路変更部を光ガイドで構成する場合は、フラットな後方端に対面する光ガイドの入射部をやはりフラットな面とすれば、発光ダイオードから後方に出射された光を無駄なく光ガイドに入射させることができる。たとえば前部窓を設ける場合、この前部窓の集光作用を軽度のものかまたは集光作用を有さないものとすることができる。この結果、前部窓の部品コストを安価にすることができる。
【００４５】
上記の発光ダイオードが挿入される挿入孔を有し、発光ダイオードが挿入され配線された状態で、発光部を後方から囲む凹曲面の反射鏡を備える構成をとることができる。
【００４６】
この構成により、前方への配光の指向性を高めることができる。
【００４７】
上記の発光ダイオードは複数個配置され、凹曲面の反射鏡は各発光ダイオードに設けられ、発光ダイオードが挿入された各反射鏡は隣り合う反射鏡と交差する交差線より大きく拡大しない構成をとることができる。
【００４８】
複数の発光ダイオードごとに凹曲面反射鏡を用いて、高い光度を確保しながら前方への指向性の強い配光を得ることができる。複数の発光ダイオードは、２個以上であれば何個でもよい。
【００４９】
上記の発光部に電流を注入するリード端子は、発光ダイオードの後方端から引き出され、そのリード端子に接続されるリード線は光路変更部の位置を通り、側周透過部より後方に位置する電池に接続されるようにしてもよい。
【００５０】
リード端子およびリード線は細くてよいので、上記の構成によれば発光ダイオードから側周透過部に至る間、リード端子やリード線が光の障害になることはほとんどない。発光ダイオードでは、電球と異なり不透明な封入部やソケット等を必要とせず、上記リード端子等だけが不透明部なので、そのリード端子等が光の障害にならないため、後方への発光を有効利用することができる。
【００５１】
前記筐体の前記側周透過部より中央側の側部に、その筐体と交差するように突き出る挿入軸と、その挿入軸に固定され、周縁に凹凸溝を有しその挿入軸に交差する回転板である回転係合部材と、前記挿入軸に挿入され、前記回転係合部材の周縁の凹凸溝と係合する凹凸溝を内周に備え、前記回転係合部材の凹凸と係合しながら前記回転係合部材の周りに回転できる支持部材とを備えてもよい。
【００５２】
凹凸溝の刻みを小さくすることにより、所望の角度方向に前方投射窓を向け、その向きに係合溝の係合力で保持することができる。
【００５３】
上記の筐体の側周部（底部）に照明装置を支持する支持部材を備え、その支持部材は照明装置を取付対象部にバンドで固定する固定バンド材を備え、その固定バンド材は、この照明装置を前記取付対象部に固定するためのバンドが引き掛けられ重ねられる、第１のバンド引掛部と第２のバンド引掛部とを有し、第１および第２のバンド引掛部との間のバンドの部分は、取付対象部を巻き込むようにして照明装置をその取付対象部に固定する。第１のバンド引掛部には、筐体との間に第１の隙間をあけて第１の軸が設けられ、その第１の軸に回転自由に設けられ、そのバンドの一方の端部に設けられたのこぎり歯状溝に食い込む楔状ストッパを備え、バンドの一方の端部が第１の隙間を通ってのこぎり歯状溝が第１の軸に面して第１の軸を巻き込むように配置される。また、第２のバンド引掛部には筐体との間に第２の隙間をあけて第２の軸が設けられ、第２の軸に回転自由に設けられ、レバー部とバンド押付部とを備えるレバーストッパを備え、バンド押付部では、第２の軸からの距離が極大値をとる周縁部を有し、第２の隙間に差しこまれたバンドの他方の端部は、レバー部を倒すことにより極大値をとる周縁部と筐体との間に挟んで固定することができる。
【００５４】
上記の構造により、照明装置をバンドにより容易にかつ強固に取付対象部に固定することができる。
【００５５】
上記の透明放射窓と反対側の端部の筐体の側周部に位置するスイッチ操作部を備え、スイッチ操作部は一方の周方向に付勢力、たとえば弾性力を加えられた状態で静止し、その付勢力に抗してスイッチ操作部を一方の周方向と逆の周方向にスライドさせると、そのスイッチ操作部と連結されたマグネットが筐体内部のリードスイッチに近づくように移動する。リードスイッチでは、開閉端子として動作する程度の変形の自由度を有する軟磁性片と、その軟磁性片が接続される固定軟磁性部とが配置されている。上記のスイッチ操作部の移動によりマグネットが軟磁性片に近づくと、軟磁性片は磁化され、その軟磁性片に近接して配置された固定軟磁部と接触して閉磁気回路を構成するように弾性変形する。この閉磁気回路の形成により、開閉接点部はオン状態となる。
【００５６】
上記の構成によれば、スイッチを部品点数の少ない簡単な構造にすることができる。この結果、故障しにくく信頼性の高い照明装置を安価に供給することができる。
【００５７】
上記において、本発明の実施の形態について説明を行ったが、上記に開示された本発明の実施の形態は、あくまで例示であって、本発明の範囲はこれら発明の実施の形態に限定されない。本発明の範囲は、特許請求の範囲の記載によって示され、さらに特許請求の範囲の記載と均等の意味および範囲内でのすべての変更を含むものである。
【産業上の利用可能性】
【００５８】
本発明の照明装置は、安全性を高めた省エネルギーの照明装置として、自転車用途に限られず、一般的な照明装置として広く利用されることが期待される。
【図面の簡単な説明】
【００５９】
【図１】本発明の実施の形態における照明装置を示す斜視図である。
【図２】（ａ）は前部側方カバー、（ｂ）は光出射部材、（ｃ）は光源配置部材、（ｄ）は接続部材、（ｅ）はＬＥＤ、をそれぞれ示す図である。
【図３】図２（ｃ）の光源配置部材を示す図である。
【図４】図３の光源配置部材を底部側（後方側）から見た図である。
【図５】図４のＶ−Ｖ線に沿う断面図である。
【図６】図１の照明装置のＶＩ−ＶＩ線に沿う断面図である。
【図７】図１の照明装置の前方部の断面図である。
【図８】図１の照明装置の電池の交換のとき、前方部と後方部とに分離した状態を示す図である。
【図９】図１の照明装置の支持部も含めた断面図である。
【図１０】図９のＸ−Ｘ線に沿う断面図である。
【図１１】スイッチが組み込まれた回路を示す図である。
【符号の説明】
【００６０】
１  前方投射窓、１ａ  集光レンズ、２  光出射部材、３  側方透過部、４  筐体挿入部、５  回転放物面鏡、５ａ  境界、６  ＬＥＤ挿入孔、７  ＬＥＤ支持部、８  ＬＥＤ、９  リード端子、１１  発光部、１２  配線基板、１３  光源配置部材、１４  前方凸曲面部、１５  側方透過部内層、１５ａ  円錐状窪み、１５ｂ  外周面、１６  接続ピン、１８  ＬＥＤ後端面、２１  筐体、２１ａ  筐体底部（平坦部）、２２  前部側方カバー、２４  挿入軸、２５  回転係合部材、２６  雌ねじ部、３１  支持部、３３  ボルト、４１  固定バンド、４２  レバーストッパ、４２ａ  バンド押付部、４３  回転軸支持部、４３ａ  内周凹凸溝部、４４  バンド、４５  バンド締結部材、４６  取付対象適合部材、４７  回転軸、４９  くさび回転軸、５１ａ  スイッチ操作部、５１ｂ  リードスイッチ、５２  電池、６１  前方部、６２  後方部、６５  ＩＣ。
【図１】
2005056708.tif 000003
【図２】
2005056708.tif 000004
【図３】
2005056708.tif 000005
【図４】
2005056708.tif 000006
【図５】
2005056708.tif 000007
【図６】
2005056708.tif 000008
【図７】
2005056708.tif 000009
【図８】
2005056708.tif 000010
【図９】
2005056708.tif 000011
【図１０】
2005056708.tif 000012
【図１１】
2005056708.tif 000013